(57)【要約】【課題】所定のカテゴリーに属する要素を的確に抽出することができる技術を提供する。【解決手段】制御部１５において、まず、記憶部１６に格納される特定部位フレーズ情報を参照することで、入力される文章データから読影レポートの所見文に属する特定部位フレーズに対応する文章中フレーズを抽出する。次に、記憶部１６に格納される要素分類情報を参照することで、抽出された文章中フレーズに含まれる各要素を複数種類の分類項目に分類しつつ抽出する。【選択図】図２
2007140861.tif 000002
【特許請求の範囲】
【請求項１】
情報処理システムであって、
所定のカテゴリーに属する１以上の言語要素を含む複数言語要素を構成要素とする特定フレーズを示すフレーズ情報、および多数の言語要素を複数種類の分類項目に分類した要素分類情報とを記憶する分類用情報記憶手段と、
文章情報の入力を受け付ける受付手段と、
前記フレーズ情報に基づいて、前記文章情報から前記特定フレーズに対応する文章中フレーズを抽出するフレーズ抽出手段と、
前記要素分類情報に基づいて、前記文章中フレーズに含まれる各フレーズ構成要素を前記複数種類の分類項目に分類しつつ抽出する要素抽出手段と、
を備えることを特徴とする情報処理システム。
【請求項２】
請求項１に記載の情報処理システムであって、
前記フレーズ情報が、
学習用例コーパスを用いた機械学習で得られた情報を含むことを特徴とする情報処理システム。
【請求項３】
請求項２に記載の情報処理システムであって、
前記複数種類の分類項目が、
相対的に広い概念を示す用語が属する大分類と、相対的に狭い概念を示す用語が属する小分類と、接頭辞と、接尾辞と、を含むことを特徴とする情報処理システム。
【請求項４】
請求項３に記載の情報処理システムであって、
前記要素抽出手段が、
前記接頭辞及び接尾辞に属するフレーズ構成要素については、前記文章中フレーズにおける前記大分類及び前記小分類に属する用語との位置関係に従って、前記大分類に属する用語に付された接頭辞であるのか、前記大分類に属する用語に付された接尾辞であるのか、前記小分類に属する用語に付された接頭辞であるのか、前記小分類に属する用語に付された接尾辞であるのかを分類しつつ抽出することを特徴とする情報処理システム。
【請求項５】
請求項３または請求項４に記載の情報処理システムであって、
前記要素分類情報が、
前記接頭辞及び接尾辞にそれぞれ属するフレーズ構成要素をリスト形式で示した情報を含むことを特徴とする情報処理システム。
【請求項６】
請求項１から請求項５のいずれかに記載の情報処理システムであって、
前記要素分類情報が、
学習用例コーパスを用いた機械学習で得られた情報を含むことを特徴とする情報処理システム。
【請求項７】
請求項２から請求項５のいずれかに記載の情報処理システムであって、
前記要素分類情報が、
前記学習用例コーパスを用いた機械学習で得られた特定フレーズを示す情報を、更に学習用例コーパスとして用いた機械学習によって得られた情報を含むことを特徴とする情報処理システム。
【請求項８】
請求項１から請求項７のいずれかに記載の情報処理システムであって、
前記要素抽出手段によって前記文章中フレーズから抽出された複数のフレーズ構成要素からなるフレーズ構成要素群について、当該フレーズ構成要素群に含まれる各フレーズ構成要素どうしをフレーズの所定の構成ルールに従って関連付けて所定のデータベースに記憶する記憶制御手段、
を更に備えることを特徴とする情報処理システム。
【請求項９】
請求項８に記載の情報処理システムであって、
同義語群に対して代表語を関連付けた同義語データ、および類義語群に対して代表語を関連付けた類義語データのうちの少なくとも一方を含む辞書データを記憶する辞書データ記憶手段と、
前記フレーズ構成要素群から前記同義語群および前記類義語群のうちの少なくとも一方に属する語群所属語を検出する所属語検出手段と、
前記辞書データに基づいて、前記フレーズ構成要素群のうちの前記語群所属語を、当該語群所属語に対応する代表語に置換して置換後フレーズ構成要素群を生成する置換生成手段と、
を更に備え、
前記記憶制御手段が、
前記フレーズ構成要素群の代わりに前記置換後フレーズ構成要素群に含まれる各フレーズ構成要素どうしを前記所定の構成ルールに従って関連付けて前記所定のデータベースに記憶することを特徴とする情報処理システム。
【請求項１０】
請求項９に記載の情報処理システムであって、
ユーザーによる操作に応答して、前記同義語群に対する代表語を当該同義語群に含まれる複数語から指定する第１の代表語指定、および前記類義語群に対する代表語を当該類義語群に含まれる複数語から指定する第２の代表語指定のうちの少なくとも一方を実行する指定実行手段、
を更に備えることを特徴とする情報処理システム。
【請求項１１】
請求項９に記載の情報処理システムであって、
前記受付手段によって受け付けられる複数の文章情報を対象として、前記辞書データに属する各語群所属語の出現回数を計算する出現回数算出手段と、
前記出現回数算出手段によって計算された出現回数に基づいて、前記同義語群に含まれる複数語のうち最も出現回数が多い語を当該同義語群に対する代表語として指定する第１の代表語指定、および前記類義語群に含まれる複数語のうち最も出現回数が多い語を当該類義語群に対する代表語として指定する第２の代表語指定のうちの少なくとも一方を実行する指定実行手段と、
を更に備えることを特徴とする情報処理システム。
【請求項１２】
請求項８から請求項１１のいずれかに記載の情報処理システムであって、
類似語群を示す類似語用例データを記憶する類似語記憶手段と、
前記類似語用例データに基づいて、前記フレーズ構成要素群から前記類似語群を構成する類似語群構成語を検出する構成語検出手段と、
前記フレーズ構成要素群のうちの前記類似語群構成語を、前記類似語群を構成する当該類似語群構成語とは異なる他の類似語群構成語に変換して変換後フレーズ構成要素群を生成する変換生成手段と、
を更に備え、
前記記憶制御手段が、
前記フレーズ構成要素群とは別に前記変換後フレーズ構成要素群に含まれる各フレーズ構成要素どうしを前記所定の構成ルールに従って関連付けて前記所定のデータベースに記憶することを特徴とする情報処理システム。
【請求項１３】
請求項８から請求項１２のいずれかに記載の情報処理システムであって、
前記所定のデータベースに基づいて、前記所定のデータベースに含まれる各フレーズ構成要素どうしの関連付けを可視的な連結要素を用いて当該各フレーズ構成要素どうしを連結して表示する表示手段、
を更に備えることを特徴とする情報処理システム。
【請求項１４】
請求項１３に記載の情報処理システムであって、
前記所定のデータベースにおける各フレーズ構成要素間の関連付けの頻度を計算する関連頻度算出手段と、
前記関連付けの頻度に基づいて、前記可視的な連結要素の態様を変更する要素変更手段と、
を更に備えることを特徴とする情報処理システム。
【請求項１５】
請求項１４に記載の情報処理システムであって、
前記関連頻度算出手段が、
前記要素抽出手段によって抽出された前記フレーズ構成要素群に従って、前記関連付けの頻度を計算することを特徴とする情報処理システム。
【請求項１６】
請求項１３から請求項１５のいずれかに記載の情報処理システムであって、
新規フレーズを入力する際に、前記所定のデータベースに基づき前記表示手段に複数要素が表示された画面上で、ユーザーの操作に応答して前記複数種類の分類項目のうちの少なくとも１つの項目に属する要素を前記新規フレーズを構成する要素として指示する要素指示手段、
を更に備えることを特徴とする情報処理システム。
【請求項１７】
請求項８から請求項１６のいずれかに記載の情報処理システムであって、
ユーザーによる操作に応答して、新規なフレーズ構成要素群を示す手動追加データを入力する入力手段、
を更に備え、
前記記憶制御手段が、
前記手動追加データによって示されるフレーズ構成要素群に含まれる各フレーズ構成要素どうしを前記所定の構成ルールに従って関連付けて所定のデータベースに記憶することを特徴とする情報処理システム。
【請求項１８】
情報処理システムに含まれるコンピュータによって実行されることにより、前記情報処理システムを、請求項１から請求項１７のいずれかに記載の情報処理システムとして機能させるプログラム。
【請求項１９】
情報処理方法であって、
(a)所定のカテゴリーに属する１以上の言語要素を含む複数言語要素を構成要素とする特定フレーズを示すフレーズ情報、および多数の言語要素を複数種類の分類項目に分類した要素分類情報とを準備するステップと、
(b)文章情報の入力を受け付けるステップと、
(c)前記フレーズ情報に基づいて、前記文章情報から前記特定フレーズに対応する文章中フレーズを抽出するステップと、
(d)前記要素分類情報に基づいて、前記文章中フレーズに含まれる各フレーズ構成要素を前記複数種類の分類項目に分類しつつ抽出するステップと、
を備えることを特徴とする情報処理方法。
【発明の詳細な説明】
【技術分野】
【０００１】
本発明は、情報処理技術に関する。
【背景技術】
【０００２】
文章から形態素分析によって単語を抽出し、単語を分類する技術が知られている。このような技術としては、例えば、医療関係の情報について、過去に作成された所見文を解析して部位に相当する語を抽出する技術が提案されている（例えば、特許文献１）。
【０００３】
【特許文献１】特開２００３−５０８６３号公報
【発明の開示】
【発明が解決しようとする課題】
【０００４】
しかしながら、上記特許文献１の技術では、所定のカテゴリーに属する用語を抽出するのに、当該用語が所定のカテゴリーに属するか否かを１回の判定で決定するため、異なる意味を複数有する用語については、判定に誤りが生じてしまう。
【０００５】
例えば、「右側頭葉の橋に腫瘍が見られる」という文において、部位に関する部分は「右側頭葉の橋」であり、更に細分化すると、「側頭葉」は部位を示す大分類、「右」は大分類の接頭辞、「橋」は部位を示す小分類に属する。そして、このような文から直接「橋」という語を抽出しようとすると、単純にリストを参照するだけでは、一般的な意味での「橋」も抽出してしまうといった誤りが生じる。
【０００６】
本発明は、上記課題に鑑みてなされたものであり、所定のカテゴリーに属する要素を的確に抽出することができる技術を提供することを目的とする。
【課題を解決するための手段】
【０００７】
上記の課題を解決するために、請求項１の発明は、情報処理システムであって、所定のカテゴリーに属する１以上の言語要素を含む複数言語要素を構成要素とする特定フレーズを示すフレーズ情報、および多数の言語要素を複数種類の分類項目に分類した要素分類情報とを記憶する分類用情報記憶手段と、文章情報の入力を受け付ける受付手段と、前記フレーズ情報に基づいて、前記文章情報から前記特定フレーズに対応する文章中フレーズを抽出するフレーズ抽出手段と、前記要素分類情報に基づいて、前記文章中フレーズに含まれる各フレーズ構成要素を前記複数種類の分類項目に分類しつつ抽出する要素抽出手段とを備えることを特徴とする。
【０００８】
また、請求項２の発明は、請求項１に記載の情報処理システムであって、前記フレーズ情報が、学習用例コーパスを用いた機械学習で得られた情報を含むことを特徴とする。
【０００９】
また、請求項３の発明は、請求項２に記載の情報処理システムであって、前記複数種類の分類項目が、相対的に広い概念を示す用語が属する大分類と、相対的に狭い概念を示す用語が属する小分類と、接頭辞と、接尾辞と、を含むことを特徴とする。
【００１０】
また、請求項４の発明は、請求項３に記載の情報処理システムであって、前記要素抽出手段が、前記接頭辞及び接尾辞に属するフレーズ構成要素については、前記文章中フレーズにおける前記大分類及び前記小分類に属する用語との位置関係に従って、前記大分類に属する用語に付された接頭辞であるのか、前記大分類に属する用語に付された接尾辞であるのか、前記小分類に属する用語に付された接頭辞であるのか、前記小分類に属する用語に付された接尾辞であるのかを分類しつつ抽出することを特徴とする。
【００１１】
また、請求項５の発明は、請求項３または請求項４に記載の情報処理システムであって、前記要素分類情報が、前記接頭辞及び接尾辞にそれぞれ属するフレーズ構成要素をリスト形式で示した情報を含むことを特徴とする。
【００１２】
また、請求項６の発明は、請求項１から請求項５のいずれかに記載の情報処理システムであって、前記要素分類情報が、学習用例コーパスを用いた機械学習で得られた情報を含むことを特徴とする。
【００１３】
また、請求項７の発明は、請求項２から請求項５のいずれかに記載の情報処理システムであって、前記要素分類情報が、前記学習用例コーパスを用いた機械学習で得られた特定フレーズを示す情報を、更に学習用例コーパスとして用いた機械学習によって得られた情報を含むことを特徴とする。
【００１４】
また、請求項８の発明は、請求項１から請求項７のいずれかに記載の情報処理システムであって、前記要素抽出手段によって前記文章中フレーズから抽出された複数のフレーズ構成要素からなるフレーズ構成要素群について、当該フレーズ構成要素群に含まれる各フレーズ構成要素どうしをフレーズの所定の構成ルールに従って関連付けて所定のデータベースに記憶する記憶制御手段を更に備えることを特徴とする。
【００１５】
また、請求項９の発明は、請求項８に記載の情報処理システムであって、同義語群に対して代表語を関連付けた同義語データ、および類義語群に対して代表語を関連付けた類義語データのうちの少なくとも一方を含む辞書データを記憶する辞書データ記憶手段と、前記フレーズ構成要素群から前記同義語群および前記類義語群のうちの少なくとも一方に属する語群所属語を検出する所属語検出手段と、前記辞書データに基づいて、前記フレーズ構成要素群のうちの前記語群所属語を、当該語群所属語に対応する代表語に置換して置換後フレーズ構成要素群を生成する置換生成手段とを更に備え、前記記憶制御手段が、前記フレーズ構成要素群の代わりに前記置換後フレーズ構成要素群に含まれる各フレーズ構成要素どうしを前記所定の構成ルールに従って関連付けて前記所定のデータベースに記憶することを特徴とする。
【００１６】
また、請求項１０の発明は、請求項９に記載の情報処理システムであって、ユーザーによる操作に応答して、前記同義語群に対する代表語を当該同義語群に含まれる複数語から指定する第１の代表語指定、および前記類義語群に対する代表語を当該類義語群に含まれる複数語から指定する第２の代表語指定のうちの少なくとも一方を実行する指定実行手段を更に備えることを特徴とする。
【００１７】
また、請求項１１の発明は、請求項９に記載の情報処理システムであって、前記受付手段によって受け付けられる複数の文章情報を対象として、前記辞書データに属する各語群所属語の出現回数を計算する出現回数算出手段と、前記出現回数算出手段によって計算された出現回数に基づいて、前記同義語群に含まれる複数語のうち最も出現回数が多い語を当該同義語群に対する代表語として指定する第１の代表語指定、および前記類義語群に含まれる複数語のうち最も出現回数が多い語を当該類義語群に対する代表語として指定する第２の代表語指定のうちの少なくとも一方を実行する指定実行手段とを更に備えることを特徴とする。
【００１８】
また、請求項１２の発明は、請求項８から請求項１１のいずれかに記載の情報処理システムであって、類似語群を示す類似語用例データを記憶する類似語記憶手段と、前記類似語用例データに基づいて、前記フレーズ構成要素群から前記類似語群を構成する類似語群構成語を検出する構成語検出手段と、前記フレーズ構成要素群のうちの前記類似語群構成語を、前記類似語群を構成する当該類似語群構成語とは異なる他の類似語群構成語に変換して変換後フレーズ構成要素群を生成する変換生成手段とを更に備え、前記記憶制御手段が、前記フレーズ構成要素群とは別に前記変換後フレーズ構成要素群に含まれる各フレーズ構成要素どうしを前記所定の構成ルールに従って関連付けて前記所定のデータベースに記憶することを特徴とする。
【００１９】
また、請求項１３の発明は、請求項８から請求項１２のいずれかに記載の情報処理システムであって、前記所定のデータベースに基づいて、前記所定のデータベースに含まれる各フレーズ構成要素どうしの関連付けを可視的な連結要素を用いて当該各フレーズ構成要素どうしを連結して表示する表示手段を更に備えることを特徴とする。
【００２０】
また、請求項１４の発明は、請求項１３に記載の情報処理システムであって、前記所定のデータベースにおける各フレーズ構成要素間の関連付けの頻度を計算する関連頻度算出手段と、前記関連付けの頻度に基づいて、前記可視的な連結要素の態様を変更する要素変更手段とを更に備えることを特徴とする。
【００２１】
また、請求項１５の発明は、請求項１４に記載の情報処理システムであって、前記関連頻度算出手段が、前記要素抽出手段によって抽出された前記フレーズ構成要素群に従って、前記関連付けの頻度を計算することを特徴とする。
【００２２】
また、請求項１６の発明は、請求項１３から請求項１５のいずれかに記載の情報処理システムであって、新規フレーズを入力する際に、前記所定のデータベースに基づき前記表示手段に複数要素が表示された画面上で、ユーザーの操作に応答して前記複数種類の分類項目のうちの少なくとも１つの項目に属する要素を前記新規フレーズを構成する要素として指示する要素指示手段を更に備えることを特徴とする。
【００２３】
また、請求項１７の発明は、請求項８から請求項１６のいずれかに記載の情報処理システムであって、ユーザーによる操作に応答して、新規なフレーズ構成要素群を示す手動追加データを入力する入力手段を更に備え、前記記憶制御手段が、前記手動追加データによって示されるフレーズ構成要素群に含まれる各フレーズ構成要素どうしを前記所定の構成ルールに従って関連付けて所定のデータベースに記憶することを特徴とする。
【００２４】
また、請求項１８の発明は、情報処理システムに含まれるコンピュータによって実行されることにより、前記情報処理システムを、請求項１から請求項１７のいずれかに記載の情報処理システムとして機能させるプログラムである。
【００２５】
また、請求項１９の発明は、情報処理方法であって、(a)所定のカテゴリーに属する１以上の言語要素を含む複数言語要素を構成要素とする特定フレーズを示すフレーズ情報、および多数の言語要素を複数種類の分類項目に分類した要素分類情報とを準備するステップと、(b)文章情報の入力を受け付けるステップと、(c)前記フレーズ情報に基づいて、前記文章情報から前記特定フレーズに対応する文章中フレーズを抽出するステップと、(d)前記要素分類情報に基づいて、前記文章中フレーズに含まれる各フレーズ構成要素を前記複数種類の分類項目に分類しつつ抽出するステップとを備えることを特徴とする。
【発明の効果】
【００２６】
請求項１に記載の発明によれば、入力される文章から所定のカテゴリーに属する特定フレーズに対応するフレーズを抽出して、当該フレーズに含まれる各フレーズ構成要素を複数種類の分類項目に分類しつつ抽出するような構成を採用することで、２段階の抽出によって、的確に所定のカテゴリーに属する要素を抽出することができる。
【００２７】
請求項２に記載の発明によれば、特定フレーズを学習用例コーパスを用いた機械学習で得るため、入力される文章から抽出するフレーズの種類を適正かつ効率的に増やすことができる。
【００２８】
請求項３に記載の発明によれば、各フレーズ構成要素を、相対的に広い概念を示す用語が属する大分類と、相対的に狭い概念を示す用語が属する小分類と、接頭辞と、接尾辞とを含む複数種類の分類項目に分類しつつ抽出するため、各要素を細かく分類して抽出することができる。
【００２９】
請求項４に記載の発明によれば、接頭辞及び接尾辞に属するフレーズ構成要素については、フレーズにおける大分類及び小分類に属する用語との位置関係によって、大分類及び小分類の何れに属する用語に付された接頭辞又は接尾辞であるのかを分類しつつ抽出するため、各フレーズ構成要素をフレーズの構成に従って分類して抽出することができる。
【００３０】
請求項５に記載の発明によれば、接頭辞及び接尾辞に属する語を示したリストに従って、フレーズに含まれる接頭辞及び接尾辞にそれぞれ属するフレーズ構成要素を抽出するため、的確な接頭辞及び接尾辞の抽出を容易に実施することができる。
【００３１】
請求項６に記載の発明によれば、学習用例コーパスを用いた機械学習により、フレーズに属する各フレーズ構成要素を分類するためのデータを取得するような構成により、フレーズから抽出する要素の種類を適正かつ効率的に増やすことができる。
【００３２】
請求項７に記載の発明によれば、学習用例コーパスを用いた機械学習で特定フレーズを示すデータを取得するとともに、当該特定フレーズを学習用例コーパスとして用いた機械学習により各フレーズ構成要素を分類するためのデータを取得するため、フレーズから抽出する要素の種類を的確に増やすことができる。
【００３３】
請求項８に記載の発明によれば、フレーズから抽出されたフレーズ構成要素群について、当該フレーズ構成要素群に含まれる各フレーズ構成要素どうしをフレーズの所定の構成ルールに従って関連付けてデータベースに記憶するため、所定のカテゴリーに属する要素に関するフレーズの構成を示した情報をデータベース化することができる。
【００３４】
請求項９に記載の発明によれば、同義語群に対して代表語を関連付けた同義語データ、および類義語群に対して代表語を関連付けた類義語データのうちの少なくとも一方を含む辞書データを準備しておき、当該辞書データを参照することでフレーズ構成要素群のうち辞書データに含まれる語群所属語が抽出された場合、当該語群素属語を対応する代表語に置き換えたフレーズ構成要素群に係る関連付け情報をデータベースに記憶するため、所定のカテゴリーに属する要素に関するフレーズの構成を示した情報を表現が統一された状態でデータベース化することができる。
【００３５】
請求項１０に記載の発明によれば、ユーザーが、同義語群や類義語群に対する代表語を、当該同義語群や類義語群自体にそれぞれ属する複数語から指定することができるため、ユーザーの癖等を反映したカスタマイズが可能となる。
【００３６】
請求項１１に記載の発明によれば、同義語群や類義語群に対する代表語を、当該同義語群や類義語群自体にそれぞれ属する複数語のうちの出現回数の最も多い語とするため、使用実態に沿って各要素を細かく分類することができる。
【００３７】
請求項１２に記載の発明によれば、類似語群を示す類似語用例データを準備しておき、当該類似語用例データに基づいて、フレーズ構成要素群から類似語群を構成する類似語群構成語を検出した場合には、フレーズ構成要素群のうちの類似語群構成語を、類似語群を構成する当該類似語群構成語とは異なる他の類似語群構成語に変換して変換後フレーズ構成要素群を生成し、当該変換後フレーズ構成要素群に係る関連付け情報をデータベースに記憶するため、所定のカテゴリーに属する要素に係るフレーズ構成を示した情報をより充実化させることができる。
【００３８】
請求項１３に記載の発明によれば、所定のデータベースに基づいて、所定のデータベースに含まれる各フレーズ構成要素どうしの関連付けを可視的な連結要素を用いて表示するような構成とすることで、所定のカテゴリーに属する要素に関するフレーズの構成を一目で把握することができる。
【００３９】
請求項１４に記載の発明によれば、所定のデータベースにおける関連付けの頻度を計算しておき、当該関連付けの頻度に基づいて、各フレーズ構成要素を連結する可視的な連結要素の態様を変更するような構成により、関連付けが強いものについては、一目で他の関連付けとは区別して把握することができる。
【００４０】
請求項１５に記載の発明によれば、文章中のフレーズから抽出されたフレーズ構成要素群に従って、関連付けの頻度を計算するような構成により、使用実態を正確に反映した表示態様となるため、実際に頻繁に使用されるフレーズの構成を把握し易くなる。
【００４１】
請求項１６に記載の発明によれば、新規フレーズを入力する際に、所定のデータベースに基づいて表示される画面上で、ユーザーの操作に応答して複数種類の分類項目のうちの少なくとも１つの項目に属するフレーズ構成要素を新規フレーズを構成するフレーズ構成要素として指示することができるような構成とすることで、過去の知識を利用することで新規フレーズの入力操作を簡略化することができる。
【００４２】
請求項１７に記載の発明によれば、ユーザーが新規なフレーズ構成要素群を示す追加データを入力すると、当該追加データによって示されるフレーズ構成要素群に含まれる各フレーズ構成要素どうしをフレーズの所定の構成ルールに従って関連付けてデータベースに記憶するため、所定のカテゴリーに属する要素に係るフレーズ構成を示した情報をユーザーが適宜充実化させることができる。
【００４３】
請求項１８に記載の発明によれば、請求項１から請求項１７のいずれかに記載の発明と同様な効果を奏する。
【００４４】
請求項１９に記載の発明によれば、請求項１に記載の発明と同様な効果を奏する。
【発明を実施するための最良の形態】
【００４５】
以下、本発明の実施形態を図面に基づいて説明する。
【００４６】
＜情報処理システムの構成＞
図１は、本発明の実施形態に係る情報処理システム１の外観構成を例示する図である。情報処理システム１は、パーソナルコンピュータ（パソコン）において所定のプログラムが実行されることで実現される。図２は、情報処理システム１の機能構成を示すブロック図を示している。なお、本実施形態では、一例として、情報処理システム１が、病院において読影レポートの所見文を対象とした情報処理を行うものとして説明する。
【００４７】
図１に示すように、情報処理システム１は、箱状の形状を有する処理部１１と、操作部１２と、表示部１３とを有している。
【００４８】
処理部１１の前面には、光ディスク９１を挿入するドライブ１０１と、メモリカード９２を挿入するドライブ１０２とが設けられている。
【００４９】
また、操作部１２は、マウス１２１とキーボード１２２とを有しており、ユーザーから処理部１１に対する入力操作を受付ける。
【００５０】
表示部１３は、例えばＣＲＴで構成され、表示手段として機能する。
【００５１】
また、図２に示すように、情報処理システム１の処理部１１は、上記の操作部１２および表示部１３に接続する入出力Ｉ／Ｆ１４と、入出力Ｉ／Ｆ１４に電気的に接続する制御部１５とを備えている。また、処理部１１は、制御部１５に電気的に接続する記憶部１６と、入出力Ｉ／Ｆ１７とを備えている。
【００５２】
入出力Ｉ／Ｆ１４は、操作部１２および表示部１３と制御部１５との間でデータの送受信をコントロールするためのインターフェースである。
【００５３】
記憶部１６は、例えばハードディスクなどを備えて構成されており、プログラム１６１、分類用情報１６２、辞書データベース（辞書ＤＢ）１６３、使用頻度データ１６４、及び関連付けデータベース（関連付けＤＢ）１６５を記憶している。
【００５４】
プログラム１６１は、後述する言語処理等を含む情報処理を実行するためのプログラム（情報処理用プログラム）である。
【００５５】
分類用情報１６２は、例えば、医療分野の所見文に含まれる特定部位を示すフレーズ（以下「特定部位フレーズ」とも称する）に係る情報（特定部位フレーズ情報）と、当該特定部位フレーズを構成する構成要素（ここでは、多数の構成語）について複数種類の分類項目にそれぞれ属する要素（ここでは、語）を示す情報（以下「要素分類情報」とも称する）とを含む。
【００５６】
ここで、特定部位フレーズは、所定のカテゴリー（ここでは、解剖学的知識）に属する１以上の要素（ここでは、用語）を含む複数語を構成要素とするものであり、特定部位フレーズ情報は、文章データから特定部位フレーズに対応するフレーズを抽出するモデルである。なお、本明細書では、「特定部位フレーズ」は、所定のカテゴリーに属する特定要素を含むフレーズであり、適宜「特定フレーズ」とも称する。
【００５７】
また、要素分類情報は、抽出されたフレーズから複数要素（ここでは、複数語）を認識して複数種類の分類項目に分類するモデルである。複数種類の分類項目としては、部位を示す比較的広い概念を示す用語が属する「大分類」、部位を示す比較的狭い概念を示す用語が属する「小分類」、及び用語に付される「接頭辞（接頭語）」や「接尾辞（接尾語）」等が挙げられる。
【００５８】
辞書ＤＢ１６３は、同義語や類義語や類似語に関する情報を格納するデータベースである。
【００５９】
図３は、辞書ＤＢ１６３に格納される同義語及び類義語に関する情報（同類義語情報）を示す図である。図３に示すように、同類義語情報は、複数の同義語によって構成される集合（同義語群）や複数の類似語によって構成される集合（類義語群）に対して、それぞれ代表語が関連付けられた情報である。そして、図３に示す同類義語情報では、同義語又は類義語の集合（例えば、「側頭葉・側頭部・側脳室」「後頭葉・後頭部」「白質・white matter」）が右方に、そして、各集合の左方にそれぞれ対応する代表語（「側頭葉」「後頭葉」「白質」）が記述されたリスト形式の情報となっている。
【００６０】
図４は、辞書ＤＢ１６３に格納される類似語に関する情報（類似語情報）を示す図である。図４に示すように、類似語情報は、複数の類似語によって構成される集合（類似語群）を示す用例データ（類似語用例データ）が複数個格納された情報である。
【００６１】
また、使用頻度データ１６４は、辞書ＤＢ１６３に含まれる同義語群や類義語群に属する各語について、複数の所見文中で出現した回数を示すデータである。この使用頻度データ１６４は、後述する所見文の構成要素分類抽出動作において生成及び利用される。この使用頻度データ１６４の生成および利用については、所見文の構成要素分類抽出動作を説明する際に併せて述べる。
【００６２】
更に、関連付けＤＢ１６５は、後述する所見文の構成要素分類抽出動作の結果得られるデータが蓄積されたデータベースである。また、この関連付けＤＢ１６５は、後述する読影レポート作成動作において利用される。よって、この関連付けＤＢ１６５の生成および利用については、所見文の構成要素分類抽出動作及び読影レポート作成動作を説明する際に併せて述べる。
【００６３】
制御部１５は、ＣＰＵ１５ａおよびメモリ１５ｂを有しており、パソコン、すなわち情報処理システム１の動作を統括制御し、ユーザーの操作やプログラム１６１などに基づいて情報処理全般を制御する部位である。ここでは、ユーザーによる操作部１２の種々の操作に基づき、制御部１５が、記憶部１６に格納されているプログラム１６１を読み込んで実行することにより、各種情報処理が実現される。なお、制御部１５は、光ディスク９１やメモリカード９２に記録されている各種データやプログラムを入出力Ｉ／Ｆ１７を介して読み込んで、各種制御を実行することもできる。また、制御部１５において一時的に生成されるデータは、メモリ１５ｂ等に適宜一時記憶される。
【００６４】
図５は、情報処理システム１の機能構成のうち、分類用情報１６２の取得動作、所見文の構成要素分類抽出動作、及び読影レポート作成動作時において、制御部１５において実現される機能を併せて示している。なお、図５に示す機能は、制御部１５にプログラム１６１が読み込まれて実行されることで実現される。
【００６５】
以下、図５を適宜参照しながら、分類用情報１６２の取得動作、所見文の構成要素分類抽出動作、及び読影レポート作成動作について、順次説明する。
【００６６】
＜分類用情報の取得動作＞
図５で示すように、分類用情報の取得動作が実行される際には、制御部１５は、機能として、機械学習部１５１、及び分類データ生成部１５２を備えて構成される。
【００６７】
機械学習部１５１は、例えば、光ディスク９１やメモリカード９２等から適宜学習用例コーパスや教師データが与えられると、特定部位フレーズ情報と要素分類情報とを構成する情報を得ることができ、分類データ生成部１５２によって分類用情報１６２が生成されて記憶部１６に記憶される。以下、分類用情報の取得動作について具体例を示しつつ説明する。
【００６８】
まず、特定部位フレーズ情報を取得する動作について説明する。
【００６９】
ここでは、特定部位フレーズ用の学習用例コーパスは、解剖学的知識に基づく文章を示すテキストデータであり、特定部位フレーズ用の教師データは、解剖学的知識に属する１以上の言語の要素（以下「言語要素」とも称し、ここでは、用語）を含む複数言語要素を構成要素とするフレーズ（学習用フレーズ）を示すデータである。
【００７０】
例えば、特定部位フレーズ用の学習用例コーパスに、学習用フレーズに一致するフレーズがあれば、特定部位フレーズとして認識し、当該特定部位フレーズの蓄積により特定部位フレーズ情報が構築される。ここでは、学習用例コーパスを形態素解析によって形態素に分解し、形態素毎に形態素そのもの、形態素の品詞、形態素の活用形、前後の形態素の情報等を用いて、その形態素が特定部位フレーズに含まれるか否かを推定することで、特定部位フレーズを認識することができる。
【００７１】
更に具体例を挙げて説明する。
【００７２】
例えば、学習用例コーパスに「側頭葉の白質に異常が見られる」という文があり、学習用フレーズ「側頭葉の白質（側頭葉／の／白質）」が与えられている場合には、フレーズ「側頭葉の白質」が特定部位フレーズとして認識される。
【００７３】
また、例えば、学習用例コーパスに「**に沿って炎症が広がる」（「**」部には種々の語が入る）といった形の文が頻出する場合には、「**に沿って」が部位を示すフレーズであると想定される為、フレーズ「**に沿って（**／に／沿って）」が特定部位フレーズと認識される。このような特定部位フレーズの認識を行うと、例えば、学習用例コーパスに「下垂体」という用語がなくても、他の文章データを対象として、語の前後関係からフレーズ「下垂体／に／沿って」を特定部位フレーズに対応するフレーズとして抽出することができる。
【００７４】
なお、上記機械学習は、奈良先端科学技術大学院大学で開発されたプログラム「Yamcha」等を用いることで高精度に行うことができる。このプログラム「Yamcha」は、いわゆるＳＶＭ（Support Vector Machine）を利用したものである。
【００７５】
このように、特定部位フレーズを学習用例コーパスを用いた機械学習で得ることで、入力される文章から抽出するフレーズの種類を適正かつ効率的に増やすことができる。
【００７６】
次に、要素分類情報を取得する動作について説明する。この要素分類情報については、４種類の分類項目「大分類」「小分類」「接頭辞」「接尾辞」にそれぞれ属する要素（ここでは、語）の情報を教師データとして与え、学習用例コーパスを用いた機械学習によって得ることができる。例えば、学習用例コーパスに教師データで与えられた語が存在する場合には、当該語を対応する分類項目と関連付ける動作を繰り返すことで、要素分類情報が取得される。このような構成により、文章中フレーズから抽出する要素の種類を適正かつ効率的に増やすことができる。
【００７７】
なお、要素分類情報を取得する際の学習用例コーパスとしては、上記特定部位フレーズ情報に含まれる特定部位フレーズを用いると良い。これは、要素分類情報が、特定部位フレーズに対応するフレーズに含まれる複数要素（複数のフレーズ構成要素）を複数種類の分類項目に分類しつつ抽出するためのものであるからであり、フレーズから抽出する要素の種類を的確に増やすことができる。
【００７８】
＜所見文の構成要素分類抽出動作＞
図５で示すように、構成要素分類抽出動作が実行される際には、制御部１５は、機能として、文章データ受付部１５３、形態素解析部１５４、フレーズ抽出部１５５、分類抽出部１５６、同義・類義・類似語検出部１５７、置換データ生成部１５８、記憶制御部１５９、関連頻度算出部１６０を備えて構成される。
【００７９】
図６は、構成要素分類抽出動作の動作フローを示すフローチャートである。本動作フローは、制御部１５においてプログラム１６１が実行されることで実現される。
【００８０】
以下、図５を参照しつつ、図６に示す構成要素分類抽出の動作フローについて説明する。まず、例えば、読影レポートの所見文の入力が可能な状態となると、図６のステップＳ１に進む。
【００８１】
ステップＳ１では、文章データ受付部１５３が所見文を示すデータを受け付け、ステップＳ２に進む。ここでは、ユーザーが操作部１２を種々操作することで所見文を示すデータが入力されて、受け付けられる。
【００８２】
ステップＳ２では、形態素解析部１５４により、ステップＳ１で受け付けた所見文を対象とした形態素解析が行われ、ステップＳ３に進む。ここでは、例えば、「右側頭葉の橋に腫瘍が見られる」という所見文が入力されたと仮定すると、形態素解析によって「右／側頭葉／の／橋／に／腫瘍／が／見／られる」と分解される。
【００８３】
ステップＳ３では、フレーズ抽出部１５５により、分類用情報１６２内の特定部位フレーズ情報を参照することで、ステップＳ２で形態素解析が行われた所見文から特定部位フレーズに対応するフレーズ（以下「文章中フレーズ」とも称する）を抽出し、ステップＳ４に進む。ここでは、例えば、「右／側頭葉／の／橋／に／腫瘍／が／見／られる」という形態素解析後の所見文から文章中フレーズ「右／側頭葉／の／橋」が抽出される。
【００８４】
ステップＳ４では、分類抽出部１５６により、分類用情報１６２内の要素分類情報を参照することで、ステップＳ３で抽出された文章中フレーズを構成する複数のフレーズ構成要素を、複数種類の分類項目「大分類」「小分類」「接頭辞」「接尾辞」等に分類しつつ抽出し、ステップＳ５に進む。ここでは、例えば、「右側頭葉の橋」という文章中フレーズから、「側頭葉」を「大分類」として、「右」を「接頭辞」として、「橋」を「小分類」として抽出する。このような分類手法を採用することで各フレーズ構成要素を細かく分類して抽出することができる。
【００８５】
また、分類項目「接頭辞」及び「接尾辞」については、単に属する要素を分類項目「接頭辞」及び「接尾辞」に分類して抽出するだけでなく、ここでは、更に、文章中フレーズにおける「大分類」及び「小分類」に属する用語との位置関係から、「大分類に属する用語に付された接頭辞（大分類接頭辞）」「大分類に属する用語に付された接尾辞（大分類接尾辞）」「小分類に属する用語に付された接頭辞（小分類接頭辞）」及び「小分類に属する用語に付された接尾辞（小分類接尾辞）」に分類しつつ抽出する。よって、例えば、上記「右側頭葉の橋」という文章中フレーズから、「右」が分類項目「大分類接頭辞」に属する要素として分類されつつ抽出される。このような構成により各フレーズ構成要素をフレーズの構成に従って分類して抽出することができる。なお、以下、１つの文章中フレーズから抽出される複数のフレーズ構成要素のことを、適宜「フレーズ構成要素群」とも称する。
【００８６】
ステップＳ５では、同義・類義・類似語検出部１５７により、辞書ＤＢ１６３内の同類義語情報を参照することで、ステップＳ４で抽出されたフレーズ構成要素群から、同類義語情報に含まれる同義語群及び類義語群に属する語（同類義語群所属語）を検出した場合には、ステップＳ６に進み、検出しなかった場合には、ステップＳ７に進む。
【００８７】
ステップＳ６では、置換データ生成部１５８により、辞書ＤＢ１６３内の同類義語情報を参照することで、ステップＳ４からステップＳ５にかけて検出された同類義語群所属語を対応する代表語に置換したフレーズ構成要素群（置換後フレーズ構成要素群）を生成し、ステップＳ７に進む。ここで、同義語や類義語を１つの代表語に置換するのは、同じような意味の言葉を一つの表現に統一することで、データベース中で纏め易く、またデータベースの参照も容易になるからである。なお、例えば、「側脳室」「側頭葉」という用語は、ほぼ同じ部分を意味するため、どちらか一方に纏めることができる。なお、どのような用語を置換するのかは、辞書ＤＢ１６３内の同類義語情報の充実度合いによって適宜設定することが可能である。
【００８８】
ステップＳ７では、記憶制御部１５９の機能により、ステップＳ５から進んで来た場合には、ステップＳ４で抽出されたフレーズ構成要素群を対象として、当該フレーズ構成要素群に含まれる各フレーズ構成要素どうしをフレーズの所定の構成ルールに従って関連付けて記憶部１６の関連付けデータベース（関連付けＤＢ）１６５に記憶する。一方、ステップＳ６から進んで来た場合には、ステップＳ６で生成された置換後フレーズ構成要素群を対象として、当該置換後フレーズ構成要素群に含まれる各フレーズ構成要素どうしをフレーズの所定の構成ルールに従って関連付けて関連付けＤＢ１６５に記憶する。
【００８９】
この関連付けＤＢ１６５では、１つのフレーズ構成要素群の構成要素（フレーズ構成要素）間、詳しくは、「大分類」に属するフレーズ構成要素と「小分類」に属するフレーズ構成要素、「大分類」に属するフレーズ構成要素と「大分類接頭辞」又は「大分類接尾辞」に属するフレーズ構成要素、「小分類」に属するフレーズ構成要素と「小分類接頭辞」又は「小分類接尾辞」に属するフレーズ構成要素とが関連付けられて記憶されている。
【００９０】
図７は、１つのフレーズ構成要素群に係る情報の関連付けＤＢ１６５内における記憶形態を例示する模式図である。図７及びそれ以降の記憶形態を示す模式図では、四角内に記載される語がフレーズ構成要素を示し、各四角間を結ぶ線がフレーズ構成要素間の関連付けを示している。
【００９１】
例えば、フレーズ構成要素群「右」−「側頭葉」−「橋」は、図７に示すように、大分類に属するフレーズ構成要素「側頭葉」に対して小分類に属するフレーズ「橋」が関連付けられ、更に大分類に属するフレーズ構成要素「側頭葉」に対して接頭辞「右」が関連付けられて記憶される。なお、このようなフレーズ構成要素どうしを関連付けたデータとしては、例えばＲＤＦ等で記述される。
【００９２】
また、関連付けＤＢ１６５内に既に記憶されているフレーズ構成要素と同じフレーズ構成要素を含むフレーズ構成要素群を更に記憶する場合には、共通するフレーズ構成要素が共用される。そして、当該共用したフレーズ構成要素に対してその他のフレーズ構成要素が関連付けられる。
【００９３】
例えば、図７に示すような情報が関連付けＤＢ１６５内に記憶されており、文章中フレーズ「左側頭葉の白質内部」に係るフレーズ構成要素群「左」−「側頭葉」−「白質」−「内部」を記憶する場合を想定する。すると、図８に示すように、共通する大分類のフレーズ構成要素「側頭葉」を共用しつつ、大分類のフレーズ構成要素「側頭葉」に対して小分類に属するフレーズ構成要素「白質」が関連付けられ、大分類に属するフレーズ構成要素「側頭葉」に対して大分類接頭辞「左」が関連付けられ、更に小分類のフレーズ構成要素「白質」に対して小分類接尾語に属するフレーズ「内部」が関連付けられる。
【００９４】
更に、文章中フレーズ「大脳の白質周囲」に係るフレーズ構成要素群「大脳」−「白質」−「周囲」を記憶する場合を想定する。すると、図９に示すように、共通する小分類のフレーズ構成要素「白質」を共用しつつ、小分類のフレーズ構成要素「白質」に対して大分類に属するフレーズ構成要素「大脳」が関連付けられ、小分類に属するフレーズ構成要素「白質」に対して小分類接尾辞「周囲」が関連付けられる。
【００９５】
また、このような態様で複数のフレーズ構成要素群を記憶していく際、関連付けＤＢ１６５の記憶内容を後述する新規所見文の入力動作に利用する為に、特定のフレーズ構成要素間における関連付けの頻度をモニターすべきである。そこで、ステップＳ７では、関連頻度算出部１６０により、関連付けＤＢ１６５における関連付けの頻度を計算し、当該頻度を示す情報（関連付け頻度情報）も関連付けＤＢ１６５に記憶する。
【００９６】
ステップＳ８では、同義・類義・類似語検出部１５７により、辞書ＤＢ１６３内の類似語用例データを参照することで、ステップＳ４で抽出されたフレーズ構成要素群、又はステップＳ６で生成されたフレーズ構成要素群から、類似語用例データによって示される類似語群を構成する類似語を検出した場合には、ステップＳ９に進み、検出されなかった場合には、本動作フローを終了する。
【００９７】
ステップＳ９では、置換データ生成部１５８及び記憶制御部１５９により、辞書ＤＢ１６３内の類似語用例データを参照することで、ステップＳ７からステップＳ８にかけて検出された類似語群構成語を、類似語用例データによって示される類似語群を構成する当該類似語群構成語とは異なる他の類似語群構成語に変換しつつ、変換後のフレーズ構成要素群（変換後フレーズ構成要素群）を関連付けＤＢ１６５に記憶する。
【００９８】
ここでは、フレーズ構成要素群からある類似語群を構成する類似語群構成語が検出されると、同じ類似語群を構成する他の類似語群構成語に変換したフレーズ構成要素群も一般に存在すると容易に推定出来る。そこで、類似語群構成語が検出された場合には、当該類似語群構成語を、当該類似語群構成語と同じ類似語群に属する他の類似語構成語に変換したフレーズ構成要素群（変換後フレーズ構成要素群）を順次生成しつつ、関連付けＤＢ１６５に記憶する。各変換後フレーズ構成要素群を関連付けＤＢ１６５に記憶する際には、各変換後フレーズ構成要素群に含まれる各フレーズ構成要素どうしがフレーズの所定の構成ルールに従って関連付けられて関連付けＤＢ１６５に記憶される。
【００９９】
類似語の置換・記憶について以下具体例を挙げて説明する。「右側頭葉の橋」という文章中フレーズが抽出されている場合には、大分類の接頭辞「右」−大分類「側頭葉」−小分類「橋」といったフレーズ構成要素群が抽出される。このとき、大分類の接頭辞「右」と同じような使われ方をする類似語「左」が存在するため、大分類の接頭辞「左」−大分類「側頭葉」−小分類「橋」といった組合せも存在することが容易に推測できる。そこで、類似語構成語「右」を同じ類似群を構成する他の異なる類似語構成語「左」に変換したフレーズ構成要素群も関連付けＤＢ１６５に記憶する。
【０１００】
例えば、大分類の接頭辞「右」−大分類「側頭葉」−小分類「橋」といったフレーズ構成要素群が関連付けＤＢ１６５に記憶される際に、大分類の接頭辞「左」−大分類「側頭葉」−小分類「橋」といった変換後フレーズ構成要素群も併せて記憶される。つまり、変換前のフレーズ構成要素群が図７に示すような態様で記憶され、更に、大分類「側頭葉」に対して大分類の接頭辞「左」が関連付けられる。
【０１０１】
なお、ステップＳ９の処理が完了すると、本動作フローが終了する。
【０１０２】
そして、このような図６に示すような動作フローを繰り返すことで、関連付けＤＢ１６５の記憶内容を充実化させることができる。
【０１０３】
＜新規所見文の入力動作＞
図５で示すように、新規所見文の入力動作が実行される際には、制御部１５は、機能として、表示用データ生成部２５１、データ出力部２５２、フレーズ構成要素指示部２５３、及び新規フレーズ生成部２５４を備えて構成される。
【０１０４】
以下、図５を参照しつつ、新規所見文の入力を行う際に表示部１３に可視的に出力される画面（読影レポート入力画面）やその要素を図１０から図１３に示すことで、新規所見文の入力動作を説明する。なお、読影レポート入力画面Ｇ１に係るデータは、表示用データ生成部２５１（図５）によって、記憶部１６に記憶される使用頻度データ１６４、及び関連付けＤＢ１６５等の各種情報に基づき生成され、データ出力部２５２によって表示部１３に向けて出力されることで、表示部１３における画面表示が実現される。
【０１０５】
図１０は、読影レポート入力画面Ｇ１を例示する図である。図１０に示すように、読影レポート入力画面Ｇ１は、主に、依頼内容の表示領域Ａ１、検査リストの表示領域Ａ２、検査情報表示領域Ａ３、読影レポートの入力及び作成を行う領域Ａ４、所見文の表示領域Ａ５、メモの記述領域Ａ６、画像の添付領域Ａ７、コマンドに係る入力アイコンが列挙される領域Ａ８によって構成されている。
【０１０６】
このような読影レポート入力画面Ｇ１で読影レポートの所見文を入力する際には、上記関連付けＤＢ１６５の記憶内容が、所見文において部位名を入力する際に利用される。以下、読影レポート入力画面Ｇ１の領域Ａ４の一部領域Ａ４１に部位名に係る情報が提示されるものとして説明を行う。
【０１０７】
図示を省略するが、まず、表示部１３に読影レポート入力画面Ｇ１が表示された際には、領域Ａ４１には、部位を示す「大分類」に属する複数の用語が列挙される。そして、当該複数の用語のうちの１つの用語をマウスポインタ等を用いて指定することで、関連付けＤＢ１６５に格納される情報のうち、当該指定された用語に係る情報が表示される。
【０１０８】
例えば、部位を示す分類項目「大分類」に属する用語「側頭葉」が指定された場合には、関連付けＤＢ１６５内に格納される図９に示すような情報に基づいて、図１１に示すような部位名の入力を支援するための図（部位名入力支援図）が領域Ａ４１に表示される。この部位名入力支援図では、関連付けＤＢ１６５内のフレーズ構成要素「側頭葉」に係る情報に基づき、複数の四角内に「側頭葉」に係るフレーズ構成要素がそれぞれ記述された表示要素と、当該表示要素間が各フレーズ構成要素どうしの関連付けに応じて連結された可視的な連結要素（ここでは、線分）とが表示される。このように、各フレーズ構成要素どうしの関連付けが可視的に表示されると、ユーザーは所定のカテゴリーに属する要素に関するフレーズの構成を一目で把握することができ、新規なフレーズの入力の参考となる。
【０１０９】
また、部位名入力支援図が領域Ａ４１に表示される際には、表示用データ生成部２５１が関連付けＤＢ１６５内の関連付け頻度情報を参照することで、連結要素である線分の表示態様を変更する。例えば、関連付けの回数が所定回数（例えば、１０回）以上のものを頻繁に同時に使用されるフレーズ構成要素として認識して、図１２に示すように線分を太くするなど他の連結要素よりも強調されるように変更される。
【０１１０】
図１２では、「側頭葉」と「白質」とが１つのフレーズを構成するフレーズ構成要素として同時に使用される頻度が高いことが一目で把握可能に表示される。なお、ここでは、線分の太さを変更したが、カラー表示をする場合には、線分の色を変更するなど、連結要素の表示態様を他の連結要素とは異なる態様に変更するようにしても良い。
【０１１１】
そして、図１１及び図１２に示したような部位名入力支援図が表示部１３に表示された状態で、部位名入力支援図に列挙された複数のフレーズ構成要素のうち、ユーザーによる操作部１２の操作に応じてマウスポインタＭＰ等を利用して所望のフレーズ構成要素を指定することができる。ここでは、各分類項目についてそれぞれ１つまでフレーズ構成要素を指定することができ、当該指定されたフレーズ構成要素は、フレーズ構成要素指示部２５３によって新規なフレーズを構成する要素として指示される。なお、当該指示された要素は、部位を示す新規フレーズを構成する要素として、読影レポート入力画面Ｇ１の領域Ａ４における最下段の領域Ａ４２に列挙される。
【０１１２】
新規フレーズ生成部２５４は、指示された要素を利用して、特定部位フレーズの所定の構成ルールに従って、新規なフレーズを生成する。当該生成された新規なフレーズは、表示用データ生成部２５１及びデータ出力部２５２の機能により領域Ａ４に可視的に表示される。このとき、図示を省略するが、所見文の構成に必要な他の語句を領域Ａ４において指定することで、所見文を入力することができる。なお、所見文の入力は、領域Ａ４の表示内容を参照しつつ、所見文の表示領域Ａ５にカーソルを発生させて、キーボード１２２等から直接入力することもできる。また、新規な所見文が入力される度に、上記所見文の構成要素分類抽出の動作フローが実行され、過去の知識である関連付けＤＢ１６５が更に充実化していくことになる。
【０１１３】
以上のように、本発明の実施形態に係る情報処理システム１では、まず、入力される文章から読影レポートの所見文に属する特定部位フレーズに対応する文章中フレーズを抽出する。次に、当該文章中フレーズに含まれる各要素を複数種類の分類項目に分類しつつ抽出する。このような２段階の抽出によって、的確に所定のカテゴリーに属する要素を抽出することができる。
【０１１４】
また、フレーズ構成要素群から同義語や類義語が抽出された場合、対応する代表語に置換して関連付けＤＢ１６５に記憶する構成を採用する。このため、所定のカテゴリーに属する要素に関するフレーズの構成を示した情報を、表現が統一された状態でデータベース化することができる。
【０１１５】
また、フレーズ構成要素群からある類似語群を構成する類似語群構成語が検出された場合、フレーズ構成要素群のうちの類似語群構成語を、同じ類似語群を構成する当該類似語群構成語とは異なる他の類似語群構成語に時間順次に変換して変換後フレーズ構成要素群を生成する。そして、各変換後フレーズ構成要素群に係る関連付け情報を関連付けＤＢ１６５に記憶するため、所定のカテゴリーに属する要素に係るフレーズ構成を示した情報をより充実化させることができる。
【０１１６】
また、関連付けＤＢ１６５に基づいて、関連付けＤＢ１６５に含まれる各フレーズ構成要素どうしの関連付けを可視的な連結要素を用いて表示するとともに、関連付けの頻度に基づいて連結要素の態様を変更する。このような構成により、所定のカテゴリーに属する要素に関するフレーズの構成を一目で把握することができるとともに、関連付けが強いものについては、一目で他の関連付けとは区別して把握することができる。
【０１１７】
また、文章中のフレーズから直接抽出されたフレーズ構成要素群に従って関連付けの頻度を計算することで、関連付けの表示態様が使用実態を正確に反映した表示態様となるため、実際に頻繁に使用されるフレーズの構成が把握し易くなる。
【０１１８】
更に、新規フレーズを入力する際に、関連付けＤＢ１６５に基づいて表示される画面上で、ユーザーの操作に応答して複数種類の分類項目のうちの少なくとも１つの項目に属するフレーズ構成要素を新規フレーズを構成するフレーズ構成要素として指示することができる。このような構成とすることで、過去の知識を利用することで新規フレーズの入力操作を簡略化することができる。
【０１１９】
＜変形例＞
以上、この発明の実施形態について説明したが、この発明は上記説明した内容のものに限定されるものではない。
【０１２０】
◎例えば、上記実施形態では、辞書ＤＢ１６３が、同義語に係るデータ（同義語データ）および類義語に係るデータ（類義語データ）の双方を含んでいたが、これに限られず、同義語データ及び類義語データのうちの少なくとも一方を含むようにしても良い。このような構成にしても、上述した実施形態と同様な効果を得ることができる。
【０１２１】
◎また、上記実施形態では、機械学習によって得た要素分類情報を参照して分類項目「接頭辞」及び「接尾辞」にそれぞれ属する語を分類・抽出したが、これに限られない。分類項目「接頭辞」及び「接尾辞」として使用される語の種類は比較的少ないため、要素分類情報のうち分類項目「接頭辞」及び「接尾辞」に関する情報については、機械学習を用いずに、例えば、分類項目「接頭辞」及び「接尾辞」の少なくとも一方については、各分類項目に対応する語のリストを予め作成しておき、このリストを参照しつつ「文章中フレーズ」から分類項目「接頭辞」及び「接尾辞」にそれぞれ属する語を分類・抽出するようにしても良い。このような構成により、的確な接頭辞及び接尾辞の抽出を機械学習を利用しなくとも容易に実施することができる。
【０１２２】
◎また、上記実施形態では、辞書ＤＢ１６３内の同類義語情報を参照することで、複数語から、同類義語情報に含まれる同義語群及び類義語群の双方について語群所属語を検出して置換したが、これに限られず、同義語及び類義語の少なくとも一方について語群所属語を検出して置換するようにしても良い。
【０１２３】
◎また、上記実施形態では、辞書ＤＢ１６３内の同類義語情報に代表語が記憶されていたが、同義語群に含まれる複数語を表示部１３に表示させ、ユーザーによる操作部１２からの入力操作に応答して当該複数語から代表語を指定したり、類義語群に含まれる複数語を表示部１３に表示させ、ユーザーによる操作部１２からの入力操作に応答して当該複数語から代表語を指定したりする代表語の指定動作を実行させる機能を制御部１５が実現するようにしても良い。このような構成とすると、ユーザーの癖等を反映したカスタマイズが可能となる。
【０１２４】
また、複数の文章データを対象として辞書ＤＢ１６３に属する各語群所属語の出現回数を計算し、同義語群に含まれる複数語のうち最も出現回数が多い語を当該同義語群に対する代表語として指定したり、類義語群に含まれる複数語のうち最も出現回数が多い語を当該類義語群に対する代表語として指定する代表語の指定動作を実行させる機能を制御部１５が実現するようにしても良い。このような構成を採用することで、用語等の使用実態に沿って各フレーズ構成要素を細かく分類することができる。
【０１２５】
◎また、上記実施形態では、「大分類」に属するフレーズ構成要素と「小分類」に属するフレーズ構成要素との区別は、要素分類情報に基づいて行ったが、これに限られず、例えば、文章中フレーズが「・・・の・・・」という表現を含んでいれば、「の」の直前を「大分類」に属するフレーズ構成要素を含む用語、「の」の直後を「小分類」に属するフレーズ構成要素を含む用語であるとして判断するようにしても良い。なお、このような判断材料も機械学習によって得るようにしても良い。
【０１２６】
◎また、上記実施形態では、入力された所見文を解析することで、関連付けＤＢ１６５を生成及び充実化したが、これに限られず、例えば、図１３に示すような画面を表示部１３に表示させて、当該画面上で各分類項目に属するフレーズ構成要素をユーザーによる操作部１２からの操作入力に応答して追加入力するようにしても良い。
【０１２７】
例えば、図１３に示す画面では、６つの分類項目「大分類」「小分類」「大分類接頭辞」「大分類接尾辞」「小分類接頭辞」及び「小分類接尾辞」にそれぞれ属するフレーム構成要素（語）を対応する四角内に入力することができる。
【０１２８】
このように、ユーザーの操作入力により、新規なフレーズ構成要素群を示す追加データが入力されると、当該新規なフレーズ構成要素群に含まれる各フレーズ構成要素どうしが、フレーズの所定の構成ルールに従って関連付けられて関連付けＤＢ１６５に記憶されるため、所定のカテゴリーに属する要素に係るフレーズ構成を示した情報をユーザーが適宜充実化させることができる。
【０１２９】
◎また、上記実施形態では、読影レポートを情報処理を対象としたが、これに限られず、例えば、インシデントレポート等といった他の種々の医療情報を対象としても良く、更には、営業レポート等といった種々の文章を対象としても良い。
【０１３０】
ここで、他の文章を情報処理の対象とした一例としてインシデントレポートを情報処理の対象とした場合について説明する。
【０１３１】
インシデントレポートは、一般に、(i)インシデントそのものの内容についての記述である「主文」、(ii)インシデントが発生した背景・原因についての記述である「原因」、(iii)インシデントの結果として起こったこと（患者の症状悪化等）についての記述である「影響」、(iv)インシデントの後の対応についての記述である「対処」、(v)インシデントの後の対応によって起こったことについての記述である「対処結果」とった５つの部分と、それ以外のインシデントとは関係ない部分とによって構成される。
【０１３２】
例えば、インシデントレポートに、「薬剤Ａの箱の中に薬剤Ｂが混入したため、薬剤Ａのつもりで誤って薬剤Ｂを注射したところ、血圧が２００まで急上昇した。そこで薬剤Ｃを注射したところ、血圧は正常値に戻った。」という文があった場合、「主文」が「薬剤Ａのつもりで誤って薬剤Ｂを注射したところ、」、「原因」が「薬剤Ａの箱の中に薬剤Ｂが混入したため、」、「影響」が「血圧が２００まで急上昇した。」、「対処」が「そこで薬剤Ｃを注射したところ、」、「対処結果」が「血圧は正常値に戻った。」となる。
【０１３３】
このように、インシデントレポートが「主文」「原因」「影響」「対処」「対処結果」といった５種類のフレーズを含んでいることを利用して、まず、インシデントレポートから５種類のフレーズを抽出する。そして、文章は大きく分けて、(1)「なぜ」−「いつ」−「どこで」−「誰が」−「誰に」−「何を」−「どこに（部位）」−「どれだけ」−「どのように」−「どうした」、(2)「なぜ」−「いつ」−「どこで」−「誰の」−「何が」−「どこに（部位）」or「どこに（場所）」−「どれだけ」−「どのように」−「どうした」といった２つのパターンに大別される。そこで、抽出されたフレーズから２つのパターンを構成する「誰が」「誰に」「誰の」「何が」「何を」「いつ」「どこに（部位）」「どこに（場所）」「どこで（場所）」「どれだけ」「なぜ」「どのように」「どうした」等の要素に対応する語を抽出することで、インシデントレポートから的確に所定のカテゴリーに属する要素を抽出する。
【０１３４】
以下、このような２段階の抽出方法について更に説明する。
【０１３５】
２段階の抽出には、１段目のフレーズを抽出するためのフレーズ情報と、２段目のフレーズ構成要素を分類抽出するための要素分類情報が必要となる。
【０１３６】
フレーズ情報は、コーパスを用いた機械学習によって得る。例えば、コーパス内の文章を形態素解析して、「主文」「原因」「影響」「対処」「対処結果」を表すタグを与え、これを使って、５種類のフレーズにそれぞれ対応するコーパスの一部分（部分コーパス）を集めてフレーズ情報として得ることができる。
【０１３７】
要素分類情報は、フレーズ情報に含まれるそれぞれの部分コーパスについて、分類項目「誰が」「誰に」「誰の」「何が」「何を」「いつ」「どこに（部位）」「どこに（場所）」「どこで（場所）」「どれだけ」「なぜ」「どのように」「どうした」等に対応する要素を表す部分にタグを与え、これを使って、多数種類の分類項目にそれぞれ対応する要素を示す要素分類情報を得ることができる。
【０１３８】
ここで抽出対象となる要素となる語・文の例を以下に列挙する。
【０１３９】
分類項目「誰が」「誰に」「誰の」に対しては要素「患者」「研修医」「**さん」等が、分類項目「何が」「何を」に対しては要素「薬剤名（「ワスゴチグミン」等）」「指標（「血圧」等）」「器具名（「三方活栓」等）」等が、分類項目「いつ」に対しては要素「日時（「４月２０日」「１０時」等）」「期間（「１時間」「３日間」等）」「**中」「**の際」等が、「どこに（部位）」に対しては要素「筋肉」「右腕」「頭部」等が、分類項目「どこに（部位）」に対しては要素「シーツの上」「シリンジの中」等が、分類項目「どこで（場所）」に対しては要素「病棟」「手術室」等が、分類項目「どれだけ」に対しては要素「数値（「１００ｍｌ」「３倍」等）」「程度（「やや」「大量に」等）」等が、分類項目「なぜ」に対しては要素「**したので」「**のため」等が、分類項目「どのように」に対しては要素「誤って」「正しく」「二重に」等が、分類項目「どうした」に対しては要素「行為（「投与」「点滴」「入れる」等）」「状態（「上昇」「悪化」「抜ける」「なくなる」等）」等がある。
【０１４０】
上記のようにして準備したフレーズ情報及び要素分類情報とを用いた要素抽出の一例を以下に示す。
【０１４１】
「薬剤Ａの箱の中に薬剤Ｂが混入したため、薬剤Ａのつもりで誤って薬剤Ｂを注射したところ、血圧が２００まで急上昇した。そこで薬剤Ｃを注射したところ、血圧は正常値に戻った。」という文が入力された場合には、フレーズ情報を参照することで、まず、「主文」フレーズが「薬剤Ａのつもりで誤って薬剤Ｂを注射したところ、」、「原因」フレーズが「薬剤Ａの箱の中に薬剤Ｂが混入したため、」、「影響」フレーズが「血圧が２００まで急上昇した。」、「対処」フレーズが「そこで薬剤Ｃを注射したところ、」、「対処結果」フレーズが「血圧は正常値に戻った。」と１段目の抽出、すなわちフレーズの抽出が行われる。
【０１４２】
次に、要素分類情報を参照することで、「主文」フレーズから、分類項目「何を」に対して要素「薬剤Ａ→薬剤Ｂ（ここでは、本来は「薬剤Ａ」でないといけないが「薬剤Ｂ」にしてしまった、ということを表している）」が、分類項目「どのように」に対して要素「誤って」が、分類項目「どうした」に対して要素「注射」が、分類抽出される。
【０１４３】
また、「原因」フレーズから、分類項目「何が」に対して要素「薬剤Ｂ」が、分類項目「どこに（場所）」に対して要素「薬剤Ａの箱の中」が、分類項目「どうした」に対して要素「混入していた」が、分類抽出される。
【０１４４】
また、「影響」フレーズから、分類項目「何が」に対して要素「血圧」が、分類項目「どれだけ」に対して要素「２００まで」が、分類項目「どうした」に対して要素「急上昇した」が、分類抽出される。
【０１４５】
また、「対処」フレーズから、分類項目「何を」に対して要素「薬剤Ｃ」が、分類項目「どうした」に対して要素「注射した」が、分類抽出される。
【０１４６】
更に、「対処結果」フレーズから、分類項目「何が」に対して要素「血圧」が、分類項目「どれだけ」に対して要素「正常値に」が、分類項目「どうした」に対して要素「戻った」が、分類抽出される。
【０１４７】
このようにして分類抽出された要素を、５つのフレーズ毎に、フレーズの所定の構成ルールに従って関連付けて所定のデータベースに記憶することで、上述した実施形態と同様に、既存のインシデントレポートを過去の知識として利用することができるようになる。
【０１４８】
◎また、上記実施形態では、情報処理システム１が１台のパソコンで構成されたが、これに限られず、例えば、図１４に示すように、サーバＳＢと、当該サーバＳＢとネットワーク回線ＮＴを介してデータ交信可能に接続された複数の端末（パソコン）Ｔ１〜Ｔ４とに、情報処理システム１の機能を適宜分散させて、複数の端末Ｔ１〜Ｔ４において、関連付けＤＢ１６５に基づく画面を表示して文章の入力を簡略化することができるような情報処理システム１Ａとしても良い。
【図面の簡単な説明】
【０１４９】
【図１】情報処理システムの外観構成を示す図である。
【図２】情報処理システムの機能構成を示すブロック図である。
【図３】辞書データベースの記憶内容を例示する図である。
【図４】辞書データベースの記憶内容を例示する図である。
【図５】情報処理システムの機能構成を示すブロック図である。
【図６】所見文の構成要素の分類抽出動作フローを示すフローチャートである。
【図７】関連付けデータベースの記憶内容を例示する図である。
【図８】関連付けデータベースの記憶内容を例示する図である。
【図９】関連付けデータベースの記憶内容を例示する図である。
【図１０】読影レポート作成画面を例示する図である。
【図１１】部位入力領域に表示される表示要素を例示する図である。
【図１２】部位入力領域に表示される表示要素を例示する図である。
【図１３】分類用情報を充実化する為のオフライン入力画面を例示する図である。
【図１４】変形例に係る情報処理システムの外観構成を示す模式図である。
【符号の説明】
【０１５０】
１，１Ａ  情報処理システム
１２  操作部
１３  表示部
１５  制御部
１６  記憶部
１５１  機械学習部
１５２  分類データ生成部
１５３  文章データ受付部
１５４  形態素解析部
１５５  フレーズ抽出部
１５６  分類抽出部
１５７  同義・類義・類似語検出部
１５８  置換データ生成部
１５９  記憶制御部
１６０  関連頻度算出部
１６１  プログラム
１６２  分類用情報
１６３  辞書データベース
１６４  使用頻度データ
１６５  関連付けデータベース
２５１  表示用データ生成部
２５２  データ出力部
２５３  フレーズ構成要素指示部
２５４  新規フレーズ生成部
【図１】
2007140861.tif 000003
【図２】
2007140861.tif 000004
【図３】
2007140861.tif 000005
【図４】
2007140861.tif 000006
【図５】
2007140861.tif 000007
【図６】
2007140861.tif 000008
【図７】
2007140861.tif 000009
【図８】
2007140861.tif 000010
【図９】
2007140861.tif 000011
【図１０】
2007140861.tif 000012
【図１１】
2007140861.tif 000013
【図１２】
2007140861.tif 000014
【図１３】
2007140861.tif 000015
【図１４】
2007140861.tif 000016